(57)【要約】【課題】従来は、接続設定が不用意に壊されると容易に元に戻すことができなかった。【解決手段】ネットワーク設定手段１０６で設定変更を行う際、サーバ接続確認手段１１５で接続確認できたネットワーク設定のみをネットワーク設定バックアップ・リストア手段１１６でバックアップすることで、ネットワーク設定リストアの必要が生じた時に、サーバとの接続実績のある確実なネットワーク設定をリストアすることが可能な情報リモコンシステムを提供することができる。【選択図】図１
2008072588.tif 000002
【特許請求の範囲】
【請求項１】
ネットワークによって接続された、情報を提供するサーバと、機器と、前記情報の表示や前記機器の操作を行う情報リモコンからなる情報リモコンシステムにおいて、
前記情報リモコンは、前記サーバと接続するためのネットワーク設定手段と、前記機器の機能選択設定や接続機器表示設定などの基本設定を行う機器設定手段と、前記機器の操作を行う機器操作手段と、前記サーバから情報を取得しデータ加工処理やエラー処理や前記機器の動作日付・時刻設定や前記機器の遠隔制御を行う情報取得・処理手段と、前記サーバと接続可能であることを確認するサーバ接続確認手段と、前記ネットワーク設定の情報をバックアップ・リストアするネットワーク設定バックアップ・リストア手段とを備え、前記ネットワーク設定手段で設定変更を行う際、前記サーバ接続確認手段で接続確認できたネットワーク設定の情報のみを前記ネットワーク設定バックアップ・リストア手段でバックアップ・リストアする情報リモコンシステム。
【請求項２】
前記情報リモコンは、前記機器設定手段による機器設定完了時に機器設定情報を前記サーバに送信する機器設定送信手段と、前記機器設定情報を前記サーバから取得しリストアする機器設定リストア手段とを備え、
前記サーバは、送信された前記機器設定情報を保存・管理する機器設定管理手段を備え、前記機器設定リストア手段から前記サーバにリストア要求がきた時に、前記機器設定管理手段が選択した機器設定情報を返すことで、前記情報リモコンの機器設定リストアを行う請求項１記載の情報リモコンシステム。
【請求項３】
前記情報リモコンが、前記ネットワーク設定バックアップ・リストア手段でバックアップされた設定を表示するバックアップ設定表示手段を備えた請求項１〜２のいずれか１項記載の情報リモコンシステム。
【請求項４】
請求項１〜３のいずれか１項記載の情報リモコンシステムの少なくとも一部をコンピュータにより実行するためのプログラム。
【発明の詳細な説明】
【技術分野】
【０００１】
本発明は、機器のリモコン機能に加えて、ニュース、天気予報、正確な時刻などの情報をサーバから取得・処理する機能を持つ情報リモコンシステムおよびそのプログラムに関するものである。
【背景技術】
【０００２】
従来から使用されている情報リモコンシステムの一例（例えば、特許文献１参照）を図７を用いて説明する。
【０００３】
図７において、７０１はサーバ、７０２は情報提供手段、７０３はサーバ制御手段、７０４は情報リモコン、７０５はネットワーク設定手段、７０６は機器操作手段、７０７は情報取得・処理手段、７０８は表示・入力手段、７０９は情報リモコン制御手段、７１０は機器、７１１は機器機能提供手段、７１２は機器制御手段、７１３はインターネットである。
【０００４】
情報リモコン７０４の設置時に、インターネット７１３を通してサーバ７０１から情報を取得するため、情報リモコン制御手段７０９の管理下で、ネットワーク設定手段７０５を用いてネットワーク設定が行われる。
【０００５】
使用者が表示・入力手段７０８から情報表示指示を行うと、情報取得・処理手段７０７が、サーバ７０１のサーバ制御手段７０３を通して情報提供手段７０２から情報を取得・処理を行い、表示・入力手段７０８に情報表示を行う。
【０００６】
また、使用者が表示・入力手段７０８から機器操作指示を行うと、機器操作手段７０６が情報リモコン制御手段７０９を通して、機器制御手段７１２に指示を伝達し、機器機能提供手段７１１により使用者の意図する機器機能の提供が行われる（例えば、機器７１０が給湯機の場合は、設定された温度の湯の提供や、ふろの自動湯張りなど）。
【特許文献１】特開２００４−３５６６９６号公報
【発明の開示】
【発明が解決しようとする課題】
【０００７】
前記従来の情報リモコンシステムおよび情報リモコンは、次のような課題を有しているがそれが従来特許文献には考慮・記載されていない。
【０００８】
給湯機のような日常よく使用される機器のリモコンは、居間や台所の操作し易い位置に配置されることが多く、機器リモコンの単機能での使用以外に情報閲覧のような複合機能を期待される。ただし、情報閲覧機能を付与するためには、機器リモコンとしての機器設定以外にネットワーク設定を行う必要が生じる。
【０００９】
一般的には、複合機能を持つリモコンの設定作業を行う場合は、自分の分からない設定項目に触ることなく、自分が行うべき設定だけしか実施しないのが当然と考える。しかしながら、設定作業者のスキルや感覚は様々であり、闇雲に設定作業を行うことで、一旦正しく設定された機器情報やネットワーク接続情報やサーバに接続するための認証情報を壊してしまうような事態が発生することが少なくない。
【００１０】
このような場合、機器の設定が現場の状態とあわなかったり、ネットワークに接続して情報閲覧することができなくなることから、設置作業者は設定を壊してしまったことを自
覚はするが、正しい設定方法が分からないため、更に何度か作業を試みることで更に設定を壊し、困ったことになる。
【００１１】
このような現実の下では、単純に設定をバックアップしリストアする機能を設けるだけでは、間違った設定がバックアップされる場合が容易に想像されるため、正しい設定が行われたことが保証された状態を保存する仕組みが必要となる。
【００１２】
また、このような設定を復帰する作業は、動作設定を保存したメモリ領域が、落雷などの意図しない要因により破壊された場合にも必要となる。
【００１３】
また、ネットワーク設定は機器単体の設定だけがうまく設定されていても、サーバに至るネットワーク経路が切断されていたり、途中の機器の設定がおかしくなっていると情報閲覧や携帯電話による遠隔操作などのネットワーク機能が利用できなくなる。
【００１４】
本発明は、前記従来の課題を解決するもので、バックアップされた設定をリストアする際、正当性が保証された設定のみをリストアすることが可能な仕組みを提供することを目的とする。
【００１５】
また、ネットワーク接続ができない時、バックアップされた設定の情報を確認することで、サーバと正常に接続された時の情報リモコン本体以外の設定も確認することできる仕組みを提供することを目的とする。
【課題を解決するための手段】
【００１６】
前記従来の課題を解決するために、本発明の情報リモコンシステムは、ネットワーク設定手段によるネットワーク設定が実行された時、サーバ接続確認確認手段でサーバとの接続を確認し、接続ができたときだけネットワーク設定バックアップ・リストア手段でネットワーク設定をバックアップすることで、設定リストア時に正常な設定のみをリストアする機能を提供する。
【発明の効果】
【００１７】
本発明の情報リモコンシステムは、設定のリストアを行う際、正当性が保証された設定のみを提供することで、一旦正常に設定された後は、設置作業の間違いや、意図しない原因により正常な設定が破壊された場合でも、容易に設定リストアを実施する機能を提供することができる。
【発明を実施するための最良の形態】
【００１８】
第１の発明は、情報を提供するサーバと、機器と、前記情報の表示や前記機器の操作を行う情報リモコンからなる情報リモコンシステムにおいて、前記情報リモコンが、前記サーバと接続するためのネットワーク設定手段と、前記機器の機能選択設定や接続機器表示設定などの基本設定を行う機器設定手段と、前記機器の操作を行う機器操作手段と、前記サーバから情報を取得しデータ加工処理やエラー処理や前記機器の動作日付・時刻設定や前記機器の遠隔制御を行う情報取得・処理手段と、前記サーバと接続可能であることを確認するサーバ接続確認手段と、ネットワーク設定をバックアップ・リストアするネットワーク設定バックアップ・リストア手段を備えた情報リモコンシステムとする。
【００１９】
これによって、前記ネットワーク設定手段で設定変更を行う際、前記サーバ接続確認手段で接続確認できたネットワーク設定のみを前記ネットワーク設定バックアップ・リストア手段でバックアップ・リストアすることができ、ネットワーク設定リストアの必要が生じた時にサーバとの接続実績のある確実なネットワーク設定をリストアすることが可能な情報リモコンシステムを提供することができる。
【００２０】
第２の発明は、前記情報リモコンが、前記機器設定手段による機器設定完了時に機器設定を前記サーバに送信する機器設定送信手段と、機器設定をサーバから取得しリストアする機器設定リストア手段を備え、前記サーバが、送信された機器設定を保存・管理する機器設定管理手段を備えた情報リモコンシステムとする。
【００２１】
これによって、前記機器設定リストア手段から前記サーバにリストア要求がきた時に、機器設定管理手段が選択した機器設定を返すことで、前記情報リモコンの機器設定リストアを行うことができ、機器設定リストアの必要が生じた時、サーバで認められた確実な機器設定をリストアすることが可能な情報リモコンシステムを提供することができる。
【００２２】
第３の発明は、前記情報リモコンが、前記ネットワーク設定バックアップ・リストア手段でバックアップされた設定を表示するバックアップ設定表示手段を備えた情報リモコンシステムとする。
【００２３】
これによって、ネットワーク接続ができない時、バックアップされた設定の情報を確認することで、サーバと正常に接続された時の情報リモコン本体以外の設定も確認し、ネットワーク接続ができない理由を確認することが可能な情報リモコンシステムを提供することができる。
【００２４】
第４の発明は、第１〜３のいずれか１項記載の情報リモコンシステムの少なくとも一部をコンピュータにより実行するためのプログラムである。そして、プログラムであるので、電気・情報機器、コンピュータ、サーバ等のハードリソースを協働させて本発明の情報リモコンシステムの少なくとも一部を容易に実現することができる。また記録媒体に記録したり通信回線を用いてプログラムを配信したりすることでプログラムの配布・更新やそのインストール作業が簡単にできる。
【００２５】
以下、本発明の実施の形態について、図面を参照しながら説明する。なお、この実施の形態によって本発明が限定されるものではない。
【００２６】
（実施の形態１）
図１は、本発明の第１の実施の形態における情報表示システム（情報リモコンシステム）のブロック図を示すものである。
【００２７】
図１において１０１はサーバ、１０２は情報提供手段、１０３はサーバ接続確認応答手段手段、１０４はサーバ制御手段、１０５は情報リモコン、１０６はネットワーク設定手段、１０７は機器操作手段、１０８は情報取得・処理手段、１０９は表示・入力手段、１１０は機器設定手段、１１１は情報リモコン制御手段、１１２は機器、１１３は機器機能提供手段、１１４は機器制御手段、１１５はサーバ接続確認手段、１１６はネットワーク設定バックアップ・リストア手段、１１７はインターネットである。
【００２８】
サーバ１０１は、情報提供手段１０２、サーバ接続確認応答手段手段１０３、サーバ制御手段１０４から構成される。
【００２９】
情報リモコン１０５は、ネットワーク設定手段１０６、機器操作手段１０７、情報取得・処理手段１０８、表示・入力手段１０９、機器設定手段１１０、情報リモコン制御手段１１１、サーバ接続確認手段１１５、ネットワーク設定バックアップ・リストア手段１１６から構成される。
【００３０】
機器１１２は、機器機能提供手段１１３、機器制御手段１１４から構成される。
【００３１】
なお、サーバ１０１にはワークステーションを、機器１１２には給湯機を、情報提供手段１０２にはウェッブサーバソフトウェアを、サーバ接続確認応答手段１０３にはＣＧＩプログラムを、サーバ制御手段１０４にはＯＳを搭載し、メモリ、記憶装置、ネットワーク接続機能を備えたマザーボードを、情報リモコン制御手段にはＯＳを搭載し、メモリ、記憶装置、機器とのシリアル通信機能、ネットワーク接続機能を備えたマザーボードを、表示・入力手段１０９には使用者への表示および操作受付が可能なタッチパネルを、機器制御手段１１４には情報リモコンとのシリアル通信機能を備えたマイクロコンピュータを、機器機能提供手段１１１には機器制御手段１１４の指示でお湯を沸かしたり蛇口にお湯を供給したりする温水供給機を用いることでこの構成を容易に実現できる。
【００３２】
なお、インターネット１１７はインターネットに限らず通信ネットワークであればよい。また、機器１１２は給湯機には限定されず、どんな電気機器でも構わない。
【００３３】
以上のように構成された情報リモコンシステムおよび情報リモコンについて、以下その動作、作用を説明する。
【００３４】
まず、本システムを使用するために、設定作業者が実行する設定動作について説明を行う。
【００３５】
情報リモコン１０５の設置時に、インターネット１１７に接続する環境を整えるため、情報リモコン制御手段１１１は、ネットワーク設定手段１０６により表示・入力手段１０９を通してネットワーク設定画面を表示する。設定作業者は提供された画面を通して、ＩＰアドレス、サブネットマスク、デフォールトゲートウェイ、ＤＮＳサーバアドレスなどのネットワーク設定情報を入力する。
【００３６】
また、サーバ１０１で情報リモコン１０５の個体識別を行うための認証情報を入力することで、サーバ１０１から接続してきた情報リモコンの所有者に向けた個別情報を配信することができる。
【００３７】
ネットワーク設定手段１０６は、以後設定された情報を元にネットワーク接続環境を提供し、使用者の情報表示要求に対し、インターネット１１７に接続されたサーバ１０１への接続やサーバ１０１への個体識別情報の提出などを行う。
【００３８】
また、機器設定動作では、機器設定手段１１０から提供される操作画面に従って、機器１１２の持つ床暖房機能（温度設定・予約設定）の設置場所名設定や機種名表示設定、ふろ機能（ふろ自動・保温時間・予約設定・温度設定）操作表示設定、給湯温度設定などの基本的な設定や、機器１１２が正常に動作することを確認する試運転動作が行われる。
【００３９】
次に、設定作業が完了した後の本システムおよびリモコンの基本的な動作について説明する。
【００４０】
使用者は情報リモコン制御手段１１１が、表示・入力手段１０９に表示する図２に示すような操作メニュー画面から操作内容を選択する。
【００４１】
（１）使用者が操作メニュー画面から情報表示を選択すると、情報リモコン制御手段１１１は、ネットワーク設定手段１０６で設定された接続情報を元に、情報取得・処理手段１０８を用いてサーバ１０１の情報提供手段１０２で提供されている情報を取得・処理し、表示・入力手段１０９に表示させる。
【００４２】
（２）また、使用者が操作メニュー画面から機器操作を選択すると、情報リモコン制御手段１１１は、機器操作手段１０７を用いて、機器１１２の操作可能な機能を表示・入力手段１０９に表示する。
【００４３】
表示された操作可能機能から使用者が選択した機器操作指示に基づき、情報リモコン制御手段１１１は、機器制御手段１１４に操作指示をシリアル通信電文により送信し、受信した機器制御手段１１４からの指示で、機器機能提供手段１１３が動作することで、使用者の意図した操作指示動作が実行される。例えば操作指示が給湯開始の場合、機器機能提供手段１１３は給湯口から予め設定されたお湯の供給を開始する。
【００４４】
また、情報取得・処理手段１０８は、定期的（例えば１日１回）にサーバ１０１の情報提供手段１０２から、現在の正確な時刻を取得し、情報リモコン制御手段１１１が管理する日付・時刻をサーバ１０１の持つ正しい日付・時刻に同期する。
【００４５】
また、情報・取得処理手段１０８は、定期的（例えば１日１回）サーバ１０１の情報提供手段１０２に新しい情報の有無の問い合わせを行い、新着情報があれば情報リモコン制御手段１１１により表示・入力手段１０９に新着情報があることを使用者に報せる機能を持つ。
【００４６】
次に、本発明の目的であるネットワーク設定のバックアップ・リストア動作について図３を用いて説明する。
【００４７】
まずネットワーク設定のバックアップ動作について説明する。
【００４８】
ネットワーク設定が開始されると、情報リモコン制御手段１１１は、ネットワーク設定手段１０６により表示・入力手段１０９を通してネットワーク設定画面を表示する。設定作業者は提供された画面を通して、ＩＰアドレス、サブネットマスク、デフォールトゲートウェイ、ＤＮＳサーバアドレスや、サーバ１０１で情報リモコン１０５の個体識別を行うための認証情報を入力する（Ｓ１０１）。
【００４９】
ネットワーク設定手段１０６に入力された情報を元にサーバ接続確認手段１１５がサーバ接続確認を開始する（Ｓ１０２）。サーバ接続確認手段１１５からの接続確認がサーバ制御手段１０４に届くと、サーバ制御手段１０４はサーバ接続確認応答手段１０３を用いて情報提供手段１０２に登録された認証情報の確認を行い、サーバに接続できる情報であることが確認されれば、サーバ接続確認応答（Ｓ１０４）を情報リモコン１０５に返す。
【００５０】
サーバ接続確認手段１１５はサーバ接続確認開始（Ｓ１０２）時から応答待ち（Ｓ１０５）を行う。タイムアウト（例えば３０秒）時間が到来するまで待って（Ｓ１０６）、応答が来なかった場合は設定エラー表示（Ｓ１０８）を行い、ネットワーク設定の再実施を促す。サーバ接続確認応答（Ｓ１０４）がタイムアウト時間内に届いた場合は、ネットワーク設定バックアップ・リストア手段１１６により入力されたネットワーク設定のバックアップを実施する（Ｓ１０７）。
【００５１】
ここでバックアップされるネットワーク設定は、サーバ１０１での接続確認実施済みのため接続が保証された設定となる。
【００５２】
次にリストア動作について説明する。
【００５３】
前述の動作でバックアップされたネットワーク設定を使用するのは、設定作業者が闇雲に設定作業を行うことで一旦正しく設定されたネットワーク設定が壊されたり、ネットワ
ーク設定を保存したメモリ領域が落雷などの意図しない要因により破壊されたりした場合であり、ネットワーク設定バックアップ・リストア手段１１６によって実行される。
【００５４】
この時にバックアップされているネットワーク設定は、サーバとの接続が保証されたネットワーク設定であるので、バックアップされたネットワーク設定を単純に書き戻し、情報リモコン１０５の再起動を実行することで設定のリストアを完了することができる。
【００５５】
以上で述べたような動作により、ネットワーク設定手段１０６で設定変更を行う際、サーバ接続確認手段１１５で接続確認できたネットワーク設定のみをネットワーク設定バックアップ・リストア手段１１６でバックアップすることができ、闇雲に設定作業を行うことで一旦正しく設定されたネットワーク設定が壊されたり、動作設定を保存したメモリ領域が落雷などの意図しない要因により破壊されたりしたことで、ネットワーク設定リストアの必要が生じた時に、サーバとの接続実績のある確実なネットワーク設定をリストアすることが可能な情報リモコンシステムを提供することができる。
【００５６】
（実施の形態２）
図４は、本発明の第２の実施の形態における情報リモコンシステムのブロック図を示すものである。図４において４０１は機器設定送信手段、４０２は機器設定リストア手段、４０３は機器設定管理手段である。
【００５７】
以上のように構成された情報リモコンシステムについて、以下その動作、作用を説明する。なお、図面において、（実施の形態１）と同一動作を示す部分は同一番号を付与している。
【００５８】
設定動作および基本的な動作は（実施の形態１）と同様の動作となる。
【００５９】
機器設定のバックアップ・リストア動作について図５を用いて説明する。
【００６０】
機器設定動作では、機器設定手段１１０から提供される操作画面に従って、機器１１２の持つ床暖房機能（温度設定・予約設定）の設置場所名設定や機種名表示設定、ふろ機能（ふろ自動・保温時間・予約設定・温度設定）操作表示設定、給湯温度設定などの基本的な設定や、機器１１２が正常に動作することを確認する試運転動作が行われる（Ｓ２０１）。
【００６１】
設定が終了すると機器設定手段１１０は全て完了したかどうかの確認を行い（Ｓ２０２）、すべてが終了していると機器設定送信手段４０１を通してサーバ１０１へ機器設定を送信し（Ｓ２０３）、サーバ１０１の機器設定管理手段４０３に機器設定を保存する（Ｓ２０４）。
【００６２】
この時、ネットワーク設定が未完である場合は、ネットワーク設定が完了するまで送信は保留され、ネットワーク設定完了時にサーバ１０１に送信・保存される。以後、何らかの設定が変更される毎に機器設定管理手段４０３には機器設定が送信され、複数の機器設定が機器設定管理手段４０３に保存される。
【００６３】
機器設定管理手段４０３で保存された複数の機器設定の中から、機器設定リストア時に用いる設定を、お客様へのサービス開始のタイミングや、新しい機器の設定タイミングで、サーバ管理者が機器設定管理手段４０３により選択し、設定リストア時に使用すべき設定を確定する（Ｓ２０５）。
【００６４】
設定作業者が闇雲に設定作業を行うことで一旦正しく設定された機器設定が壊されたり
、機器設定を保存したメモリ領域が落雷などの意図しない要因により破壊されたりした場合、設定リストア動作が開始され（Ｓ２０６）、機器設定リストア手段４０２がサーバ１０１の機器設定管理手段４０３にリストアデータ依頼を出すと（Ｓ２０７）、機器設定管理手段４０３は（Ｓ２０５）で確定されたリストアに用いる機器設定を取得し（Ｓ２０８）、機器設定リストア手段４０２にリストアデータ応答（２０９）を行う。機器設定リストア手段４０２は受け取ったリストアデータを反映し（Ｓ２１０）、情報リモコン１０５の再起動を実施し（Ｓ２１１）リストア動作を完了させる。
【００６５】
以上で述べたような動作により、機器設定リストア手段４０２からサーバ１０１にリストア要求がきた時に、機器設定送信手段４０１が送信した機器設定の中から機器設定管理手段４０３が選択した機器設定を返すことで、情報リモコン１０５の機器設定リストアを行うことができ、機器設定リストアの必要が生じた時、サーバで認められた確実な機器設定をリストアすることが可能な情報リモコンシステムを提供することができる。
【００６６】
なお、図６に示すように、情報リモコンが、ネットワーク設定バックアップ・リストア手段でバックアップされた設定を表示するバックアップ設定表示手段６０１を備えてもよい。
【００６７】
ネットワーク接続ができない状態が発生し、その原因が情報リモコンシステムではなく、ネットワーク経路を構成する機器の設定にある場合、単純にバックアップされた設定をリストアしてもネットワーク接続が回復しない。そのためバックアップ設定表示手段６０１でバックアップされた設定を見ることで、次のようなことを確認することができるようになる。
【００６８】
例えばＩＰアドレスからは、以前接続できた時のＩＰアドレスと現在情報リモコンのＩＰアドレスの違いが確認できるため、もし異なっていた場合は、情報リモコンのＩＰアドレスのルーティングを管理しているルータ等のＤＨＣＰサーバ機器が、別途増設されていたり、間違った設定に変わっていないかどうか確認することで、ネットワーク接続不可状態の解消に対応することができる。
【００６９】
また、デフォルト・ゲートウェイからは、情報リモコンがサーバへ接続する対象のＩＰアドレスを確認できるため、もし異なっていた場合は、ネットワーク構成の変更やルータ等のＤＨＣＰサーバ機器の変更があったかどうかを確認することで、ネットワーク接続不可状態の解消に対応することができる。
【００７０】
また、ＤＮＳサーバアドレスからは、情報リモコンがサーバへ接続するためのＵＲＬからＩＰアドレスへの変換を行うサーバを確認できるため、もし異なっていた場合は、ネットワーク経路を提供しているサーバの設定変更や、ルーティングを管理しているルータ設定が間違った設定に変わっていないかを確認することで、ネットワーク接続不可状態の解消に対応することができる。
【００７１】
これによって、ネットワーク接続ができない時、バックアップされた設定の情報を確認することで、サーバと正常に接続された時の情報リモコン本体以外の設定も確認し、ネットワーク接続ができない理由を確認することが可能な情報リモコンシステムを提供することができる。
【００７２】
また、本実施の形態１、２で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムであれば、磁気メディアや光メディアなどの記録媒体に記録したり、インターネットなどの通信回線
を用いて配信することでプログラムの配布・更新やそのインストール作業が簡単にできる。
【産業上の利用可能性】
【００７３】
以上のように、本発明は、ネットワークから情報を取得する以外に、リモコン機能のような何か別の機能を持っている機器がある場合、設定のリストアを行う際、正当性が保証された設定のみを提供することで、一旦正常に設定された後は、設置作業の間違いや、意図しない原因により正常な設定が破壊された場合でも、容易に設定リストアを実施することができる。
【００７４】
この動作は、情報を取得する以外の機能が電話機能や家事・調理機能であっっても、情報リモコンシステムに限らず適用することができる。
【図面の簡単な説明】
【００７５】
【図１】本発明の実施の形態１における情報表示リモコンシステム構成を示すブロック図
【図２】本発明の実施の形態１における操作画面を説明する図
【図３】本発明の実施の形態１におけるネットワーク設定バックアップ動作を説明する図
【図４】本発明の実施の形態２における情報表示リモコンシステムの構成を示すブロック図
【図５】本発明の実施の形態２における機器設定バックアップ・リストア動作を説明する図
【図６】本発明の実施の形態２における情報表示リモコンシステムの他の構成を示すブロック図
【図７】従来例である情報リモコンシステムの構成を示すブロック図
【符号の説明】
【００７６】
１０１  サーバ
１０２  情報提供手段
１０３  サーバ接続確認応答手段
１０４  サーバ制御手段
１０５  情報リモコン
１０６  ネットワーク設定手段
１０７  機器操作手段
１０８  情報取得・処理手段
１０９  表示・入力手段
１１０  機器設定手段
１１１  情報リモコン制御手段
１１２  機器
１１３  機器機能提供手段
１１４  機器制御手段
１１５  サーバ接続確認手段
１１６  ネットワーク設定バックアップ・リストア手段
１１７  インターネット
４０１  機器設定送信手段
４０２  機器設定リストア手段
４０３  機器設定管理手段
６０１  バックアップ設定表示手段
【図１】
2008072588.tif 000003
【図２】
2008072588.tif 000004
【図３】
2008072588.tif 000005
【図４】
2008072588.tif 000006
【図５】
2008072588.tif 000007
【図６】
2008072588.tif 000008
【図７】
2008072588.tif 000009